(57)【要約】【課題】ＴＣＰ／ＩＰにより音声パケットを伝送するネットワーク音声システムの提供。【解決手段】一つ以上の位置決めナビゲーションサーバーを利用し、相互の情報を相互に共有し、異なる媒体位置決めナビゲーションサーバーを相互に支援し及び利用し、該音声伝送はインターネットを経由し直接点対点で個体音声末端に伝送し、さらに少なくとも一つのネットワーク音声付加価値サーバーを利用し、個体音声末端にネットワーク付加価値ネットワーク音声サービスを提供する。【選択図】        図２
2004297684.tif 000002
【特許請求の範囲】
【請求項１】
ＴＣＰ／ＩＰにより音声パケットを伝送するネットワーク音声システムにおいて、
少なくとも一つの位置決めナビゲーションサーバーとされ、相互の情報を相互に共有すると共に相互に支援し、ホームページ管理制御インタフェースで位置決めナビゲーションサーバーを制御管理し、並びにバックアップとシステムリカバリの機能を具備する、上記少なくとも一つの位置決めナビゲーションサーバーと、
個体音声末端とされ、異なる媒体を利用してインターネットを透過してデータを位置決めナビゲーションサーバーに登録し、音声装置を経由してインターネットを透過し直接点対点の関係を以て個体音声末端に音声を伝送する、上記個体音声末端と、
少なくとも一つのネットワーク音声付加価値サーバーとされ、該ネットワーク音声付加価値サーバーが個体音声末端に、ネットワーク音声メールボックス、通信記録及びオーディオビデオサウンドダウンロードのサービス等のネットワーク音声付加価値サービスを提供する、上記少なくとも一つのネットワーク音声付加価値サーバーと、
を具えたことを特徴とする、ＴＣＰ／ＩＰにより音声パケットを伝送するネットワーク音声システム。
【請求項２】
請求項１に記載のＴＣＰ／ＩＰにより音声パケットを伝送するネットワーク音声システムにおいて、位置決めナビゲーションサーバーが、データベース管理システムと位置決めナビゲーションシステムを具え、該位置決めナビゲーションシステムがデータベース管理システムの通信情報の位置決めと取得を行ない、個体音声末端を指定された個体音声末端にナビゲートし、データベース管理システムと位置決めナビゲーションシステムがいずれも中央データベース管理システムと中央位置決めナビゲーションシステムに対してデータのバックアップと登録を行うことを特徴とする、ＴＣＰ／ＩＰを透過して音声パケットを伝送するネットワーク音声システム。
【請求項３】
請求項１に記載のＴＣＰ／ＩＰにより音声パケットを伝送するネットワーク音声システムにおいて、位置決めナビゲーションサーバーがいずれもそのバックアップシステムを具え、いずれも中央データベース管理システムと中央位置決めナビゲーションシステムを有して全体のネットワーク音声システムの中央制御管理とバックアップを行うメインサーバーとされ、そのうち中央データベース管理システムと中央位置決めナビゲーションシステムがいずれもバックアップ補助システムを具えてネットワーク音声システムに不正常な現象が発生した時、システムがネットワーク音声システムの状態を自動切り換え調整することを特徴とする、ＴＣＰ／ＩＰにより音声パケットを伝送するネットワーク音声システム。
【請求項４】
請求項１に記載のＴＣＰ／ＩＰにより音声パケットを伝送するネットワーク音声システムにおいて、位置決めナビゲーションサーバーと個体音声末端の相互間信号伝送方式は、ＵＤＰプロコトルを利用してシステム情報を伝送し、位置決めナビゲーションサーバーと個体音声末端全体のコミュニケーション方式はＴＣＰプロコトルをシュミレートし、各個体情報伝送速度を増すと共にパケットの確実な伝送を確定することを特徴とする、ＴＣＰ／ＩＰにより音声パケットを伝送するネットワーク音声システム。
【請求項５】
請求項１に記載のＴＣＰ／ＩＰにより音声パケットを伝送するネットワーク音声システムにおいて、個体音声末端が利用する異なる媒体が、コンパクトディスク、プラグアンドプレイ保存装置、ブルートゥース、赤外線の無線モジュール装置、ハンディータイプの通話装置或いはイヤホンマイクロホン装置とされることを特徴とする、ＴＣＰ／ＩＰにより音声パケットを伝送するネットワーク音声システム。
【請求項６】
請求項１に記載のＴＣＰ／ＩＰにより音声パケットを伝送するネットワーク音声システムにおいて、音声が直接点対点の関係を以て個体音声末端に伝送され、個体音声末端がＮＡＴのネットワーク環境に位置する場合、ＮＡＴ遅延信号伝送の特性を利用して点対点の伝送を達成することを特徴とする、ＴＣＰ／ＩＰにより音声パケットを伝送するネットワーク音声システム。
【請求項７】
請求項１に記載のＴＣＰ／ＩＰにより音声パケットを伝送するネットワーク音声システムにおいて、個体音声末端の音声信号パケット伝送は、音声信号パケットを伝送する前に、パケットコードを連結し、関係する個体音声末端が音声信号パケットを受け取った時、音声信号パケットに関係する受信時間により音声信号の放送を調整して使用者が音声信号の遅延に気づかないようにすることを特徴とする、ＴＣＰ／ＩＰにより音声パケットを伝送するネットワーク音声システム。
【請求項８】
請求項１に記載のＴＣＰ／ＩＰにより音声パケットを伝送するネットワーク音声システムにおいて、個体音声末端がマウスを利用してホームページ上或いはプログラム中でネットワーク識別コードをクリック選択し、このとき個体音声末端が直接指定された個体音声末端にダイアルし、個体音声末端は或いは個体音声末端に連接された入力装置を使用し、機能キー設定に基づき対応する個別ネットワーク識別コードにダイアルすることを特徴とする、ＴＣＰ／ＩＰを透過して音声パケットを伝送するネットワーク音声システム。
【請求項９】
請求項８に記載のＴＣＰ／ＩＰにより音声パケットを伝送するネットワーク音声システムにおいて、ネットワーク識別コードが姓名、ハンドルネーム、会社名称、電話番号及び電子メールボックスとされ、該ネットワーク識別コードが個体音声末端の使用する異なる媒体中に保存されて個体音声末端が所属のネットワーク識別コードを読み取るのに供されることを特徴とする、ＴＣＰ／ＩＰにより音声パケットを伝送するネットワーク音声システム。
【請求項１０】
請求項１に記載のＴＣＰ／ＩＰにより音声パケットを伝送するネットワーク音声システムにおいて、個体音声末端の音声信号パケット処理では、環状バッファエリアに音声信号パケット受信時間を保存し、受信時間により音声信号パケットの放送速度を調整することを特徴とする、ＴＣＰ／ＩＰにより音声パケットを伝送するネットワーク音声システム。
【請求項１１】
請求項１に記載のＴＣＰ／ＩＰにより音声パケットを伝送するネットワーク音声システムにおいて、個体音声末端がネットワーク識別コード電子メールボックスで通話相手にダイアルし、通話相手にこのサービスがなければ、ネットワーク音声付加価値サーバーを経由電子メールボックスを通話相手に発送し、通話相手に個体音声末端ソフトをダウンロードするよう通知することを特徴とする、ＴＣＰ／ＩＰにより音声パケットを伝送するネットワーク音声システム。
【請求項１２】
請求項５に記載のＴＣＰ／ＩＰにより音声パケットを伝送するネットワーク音声システムにおいて、コンパクトディスクを媒体として使用し、コンパクトディスクドライブにコンパクトディスクを挿入すると自動的に個体音声末端ソフトが起動して情報の位置決めナビゲーションサーバーへの登録を実行し、並びにネットワーク音声システムのサービスを達成することを特徴とする、ＴＣＰ／ＩＰにより音声パケットを伝送するネットワーク音声システム。
【発明の詳細な説明】
【０００１】
【発明の属する技術分野】
本発明は一種のＴＣＰ／ＩＰにより音声パケットを伝送するネットワーク音声システムに係り、ネットワーク電話を便利及び簡単に使用できるようにするシステムに関する。
【０００２】
【従来の技術】
ネットワーク時代の到来はネットワークの付加価値サービスに対する要求を次第に増加させ、ネットワークの発展の初期に提出されたネットワーク電話の概念が提出された。インターネット電話は早期のネットワーク電話システムであるが、ネットワーク方面の音声圧縮及び周波数幅が不十分であることの影響を受けて、現在に至ってようやくネットワーク電話は音声圧縮技術の進歩及びブロードバンド環境の改善により徐々に発展している。
【０００３】
【発明が解決しようとする課題】
ネットワーク電話を便利及び簡単に使用できるようにするため、本件発明者はネットワーク電話の開発と研究を進めてきたが、現段階のネットワーク電話は実体ＩＰを使用しなければならない問題があり、これを突破するため、我々は実体ＩＰを使用しないネットワーク電話システムを開発した。
【０００４】
ゆえに、本発明の主要な目的は、ＴＣＰ／ＩＰにより音声パケットを伝送するネットワーク音声システムを提供することにあり、それは、位置決めナビゲーションサーバーを利用しホームページ管理制御インタフェースで位置決めナビゲーションサーバーを制御管理し、並びにバックアップとシステムリカバリの機能を具備するようにし、個体音声末端は異なる媒体を利用しインターネットを経由データを位置決めナビゲーションサーバーに登録し、音声の伝送はインターネットにより直接点対点で個体音声末端に伝送する。さらにネットワーク音声付加価値サーバーを利用し個体音声末端にネットワーク付加価値音声サービスを提供する。
【０００５】
【課題を解決するための手段】
請求項１の発明は、ＴＣＰ／ＩＰにより音声パケットを伝送するネットワーク音声システムにおいて、
少なくとも一つの位置決めナビゲーションサーバーとされ、相互の情報を相互に共有すると共に相互に支援し、ホームページ管理制御インタフェースで位置決めナビゲーションサーバーを制御管理し、並びにバックアップとシステムリカバリの機能を具備する、上記少なくとも一つの位置決めナビゲーションサーバーと、
個体音声末端とされ、異なる媒体を利用してインターネットによりデータを位置決めナビゲーションサーバーに登録し、音声装置を経由してインターネットを透過し直接点対点の関係を以て個体音声末端に音声を伝送する、上記個体音声末端と、
少なくとも一つのネットワーク音声付加価値サーバーとされ、該ネットワーク音声付加価値サーバーが個体音声末端に、ネットワーク音声メールボックス、通信記録及びオーディオビデオサウンドダウンロードのサービス等のネットワーク音声付加価値サービスを提供する、上記少なくとも一つのネットワーク音声付加価値サーバーと、
を具えたことを特徴とする、ＴＣＰ／ＩＰを透過して音声パケットを伝送するネットワーク音声システムとしている。
請求項２の発明は、請求項１に記載のＴＣＰ／ＩＰにより音声パケットを伝送するネットワーク音声システムにおいて、位置決めナビゲーションサーバーが、データベース管理システムと位置決めナビゲーションシステムを具え、該位置決めナビゲーションシステムがデータベース管理システムの通信情報の位置決めと取得を行ない、個体音声末端を指定された個体音声末端にナビゲートし、データベース管理システムと位置決めナビゲーションシステムがいずれも中央データベース管理システムと中央位置決めナビゲーションシステムに対してデータのバックアップと登録を行うことを特徴とする、ＴＣＰ／ＩＰにより音声パケットを伝送するネットワーク音声システムとしている。
請求項３の発明は、請求項１に記載のＴＣＰ／ＩＰにより音声パケットを伝送するネットワーク音声システムにおいて、位置決めナビゲーションサーバーがいずれもそのバックアップシステムを具え、いずれも中央データベース管理システムと中央位置決めナビゲーションシステムを有して全体のネットワーク音声システムの中央制御管理とバックアップを行うメインサーバーとされ、そのうち中央データベース管理システムと中央位置決めナビゲーションシステムがいずれもバックアップ補助システムを具えてネットワーク音声システムに不正常な現象が発生した時、システムがネットワーク音声システムの状態を自動切り換え調整することを特徴とする、ＴＣＰ／ＩＰにより音声パケットを伝送するネットワーク音声システムとしている。
請求項４の発明は、請求項１に記載のＴＣＰ／ＩＰにより音声パケットを伝送するネットワーク音声システムにおいて、位置決めナビゲーションサーバーと個体音声末端の相互間信号伝送方式は、ＵＤＰプロコトルを利用してシステム情報を伝送し、位置決めナビゲーションサーバーと個体音声末端全体のコミュニケーション方式はＴＣＰプロコトルをシュミレートし、各個体情報伝送速度を増すと共にパケットの確実な伝送を確定することを特徴とする、ＴＣＰ／ＩＰにより音声パケットを伝送するネットワーク音声システムとしている。
請求項５の発明は、請求項１に記載のＴＣＰ／ＩＰにより音声パケットを伝送するネットワーク音声システムにおいて、個体音声末端が利用する異なる媒体が、コンパクトディスク、プラグアンドプレイ保存装置、ブルートゥース、赤外線の無線モジュール装置、ハンディータイプの通話装置或いはイヤホンマイクロホン装置とされることを特徴とする、ＴＣＰ／ＩＰにより音声パケットを伝送するネットワーク音声システムとしている。
請求項６の発明は、請求項１に記載のＴＣＰ／ＩＰにより音声パケットを伝送するネットワーク音声システムにおいて、音声が直接点対点の関係を以て個体音声末端に伝送され、個体音声末端がＮＡＴのネットワーク環境に位置する場合、ＮＡＴ遅延信号伝送の特性を利用して点対点の伝送を達成することを特徴とする、ＴＣＰ／ＩＰにより音声パケットを伝送するネットワーク音声システムとしている。
請求項７の発明は、請求項１に記載のＴＣＰ／ＩＰにより音声パケットを伝送するネットワーク音声システムにおいて、個体音声末端の音声信号パケット伝送は、音声信号パケットを伝送する前に、パケットコードを連結し、関係する個体音声末端が音声信号パケットを受け取った時、音声信号パケットに関係する受信時間により音声信号の放送を調整して使用者が音声信号の遅延に気づかないようにすることを特徴とする、ＴＣＰ／ＩＰにより音声パケットを伝送するネットワーク音声システムとしている。
請求項８の発明は、請求項１に記載のＴＣＰ／ＩＰにより音声パケットを伝送するネットワーク音声システムにおいて、個体音声末端がマウスを利用してホームページ上或いはプログラム中でネットワーク識別コードをクリック選択し、このとき個体音声末端が直接指定された個体音声末端にダイアルし、個体音声末端は或いは個体音声末端に連接された入力装置を使用し、機能キー設定に基づき対応する個別ネットワーク識別コードにダイアルすることを特徴とする、ＴＣＰ／ＩＰにより音声パケットを伝送するネットワーク音声システムとしている。
請求項９の発明は、請求項８に記載のＴＣＰ／ＩＰにより音声パケットを伝送するネットワーク音声システムにおいて、ネットワーク識別コードが姓名、ハンドルネーム、会社名称、電話番号及び電子メールボックスとされ、該ネットワーク識別コードが個体音声末端の使用する異なる媒体中に保存されて個体音声末端が所属のネットワーク識別コードを読み取るのに供されることを特徴とする、ＴＣＰ／ＩＰを透過して音声パケットを伝送するネットワーク音声システムとしている。
請求項１０の発明は、請求項１に記載のＴＣＰ／ＩＰにより音声パケットを伝送するネットワーク音声システムにおいて、個体音声末端の音声信号パケット処理では、環状バッファエリアに音声信号パケット受信時間を保存し、受信時間により音声信号パケットの放送速度を調整することを特徴とする、ＴＣＰ／ＩＰにより音声パケットを伝送するネットワーク音声システムとしている。
請求項１１の発明は、請求項１に記載のＴＣＰ／ＩＰにより音声パケットを伝送するネットワーク音声システムにおいて、個体音声末端がネットワーク識別コード電子メールボックスで通話相手にダイアルし、通話相手にこのサービスがなければ、ネットワーク音声付加価値サーバー経由電子メールボックスを通話相手に発送し、通話相手に個体音声末端ソフトをダウンロードするよう通知することを特徴とする、ＴＣＰ／ＩＰにより音声パケットを伝送するネットワーク音声システムとしている。
請求項１２の発明は、請求項５に記載のＴＣＰ／ＩＰにより音声パケットを伝送するネットワーク音声システムにおいて、コンパクトディスクを媒体として使用し、コンパクトディスクドライブにコンパクトディスクを挿入すると自動的に個体音声末端ソフトが起動して情報の位置決めナビゲーションサーバーへの登録を実行し、並びにネットワーク音声システムのサービスを達成することを特徴とする、ＴＣＰ／ＩＰにより音声パケットを伝送するネットワーク音声システムとしている。
【０００６】
【発明の実施の形態】
図１及び図２に示されるように、本発明のＴＣＰ／ＩＰにより音声パケットを伝送するネットワーク音声システム１０は、少なくとも一つの位置決めナビゲーションサーバー１、少なくとも一組の個体音声末端２及びネットワーク音声付加価値サーバーを具えている。
【０００７】
位置決めナビゲーションサーバー１は図１に示されるように、複数のデータベース管理システム１１と複数の位置決めナビゲーションシステム１２がシステム連接線１３で連結されてインターネットを形成している。該位置決めナビゲーションシステム１２はデータベース管理システム１１を透過し個体音声末端２の通信情報を位置決め及び取得して個体音声末端２を指定された個体音声末端２にナビゲートする。データベース管理システム１１及び位置決めナビゲーションシステム１２はいずれも中央データベース管理システムと中央位置決めナビゲーションシステムに対してデータのバックアップと登録を行う。則ち、位置決めナビゲーションサーバー１はいずれもバックアップシステムを有し、いずれも中央データベース管理システムと中央位置決めナビゲーションシステムに対して全体のネットワーク音声システムの中央制御管理とバックアップを行うメインサーバーとされ、そのうち中央データベース管理システムと中央位置決めナビゲーションシステムはいずれもそのバックアップ補助システムを具え、ネットワーク音声システムに不正常な現象が発生した時、システムがネットワーク音声システムの状態を自動切り換え調整する。
【０００８】
さらに、位置決めナビゲーションサーバー１と個体音声末端２の相互間の信号伝送方式は、ＵＤＰプロコトルを利用してシステム情報を伝送する。位置決めナビゲーションサーバー１と個体音声末端２のコミュニケーション方式は、ＴＣＰプロコトルをシュミレートし、各個体情報伝送速度を増すと共にパケットの確実な伝送を確定する。
【０００９】
個体音声末端２が利用する異なる媒体は、コンパクトディスク、プラグアンドプレイ保存装置、無線モジュール装置（ブルートゥース、赤外線等）、ハンディータイプの通話装置或いはイヤホンマイクロホン装置とされる。図２に示されるように、複数組の個体音声末端２はＬＡＮ４を経由し、個体音声末端２はＮＡＴ５のネットワーク環境中に位置し、ゆえにＮＡＴ５の遅延信号伝送の特性を利用し点対点の伝送を達成し、インターネット６によりネットワーク音声システム１０使用のサービスを達成する。
【００１０】
図３に示されるように、個体音声末端２はインターネット６を経由して音声信号パケット２１を伝送し、音声信号パケット２１を伝送する前にパケットコード２２、ＩＰマーク２３、ＵＤＰマーク２４及び音声信号２５を連結し、関係する個体音声末端２が音声信号パケット２１を受け取った時、音声信号パケット２１に関係する受信時間に基づき、音声信号の放送を調整し、使用者が音声信号の遅延に気づかないようにする。
【００１１】
個体音声末端２はマウスを利用してホームページ上或いはプログラム中で「ネットワーク識別コード」を選択し、このとき個体音声末端２が直接指定された個体音声末端にダイアルするか、或いは個体音声末端２は個体音声末端２に連接された入力装置を使用し、機能キー設定に基づき対応する個別ネットワーク識別コードに事前にダイアルする。該ネットワーク識別コードは、姓名、ハンドルネーム、会社名称、電話番号及び電子メールボックス等とされうる。該ネットワーク識別コードは並びに個体音声末端２の利用する異なる媒体（例えばコンパクトディスク）中に保存可能で、個体音声末端２が所属のネットワーク識別コードを読み取るのに供される。
【００１２】
図３及び図４に示されるように、個体音声末端２の音声信号パケット２１処理は、環状バッファエリア７に受信した音声信号パケット２１を保存し、且つ各一つの音声信号パケット２１の受信時間を記録し、受信時間により音声信号パケット２１放送の速度を調整する。
【００１３】
また、個体音声末端２はネットワーク識別コードの電子メールボックスで相手方にダイアルして通話し、もし通話相手にこのサービスがなければ、ネットワーク音声付加価値サーバーが電子メールボックスを通話相手に発送し、通話相手に個体音声末端ソフトをダウンロードするよう通知する。個体音声末端２がコンパクトディスクを媒体として利用し、コンパクトディスクがコンパクトディスクドライブに挿入されると、自動的に個体音声末端ソフトが起動して情報の位置決めナビゲーションサーバー１への登録を実行し、並びにネットワーク音声システム１０のサービスの使用を達成する。
【００１４】
【発明の効果】
本発明は、一つ以上の位置決めナビゲーションサーバーを利用し、相互の情報を相互に共有し、異なる媒体位置決めナビゲーションサーバーを相互に支援し及び利用し、該音声伝送はインターネットを経由して直接点対点で個体音声末端に伝送し、さらに少なくとも一つのネットワーク音声付加価値サーバーを利用し、個体音声末端にネットワーク付加価値ネットワーク音声サービスを提供している。
【図面の簡単な説明】
【図１】本発明の位置決めナビゲーションサーバーの構造図である。
【図２】本発明の個体音声末端がインターネットを経由してネットワーク音声システムを使用する表示図である。
【図３】本発明の個体音声末端が音声信号パケットを伝送するブロック図である。
【図４】本発明の個体音声末端が環状バッファエリアで受信した音声信号パケットを保存する表示図である。
【符号の説明】
１  位置決めナビゲーションサーバー
１１  データベース管理システム
１２  位置決めナビゲーションシステム
１３  システム連接線
２  個体音声末端
２１  音声信号パケット
２２  パケットコード
２３  ＩＰマーク
２４  ＵＤＰマーク
２５  音声信号
５  ＮＡＴ
６  インターネット
７  環状バッファエリア
１０  ネットワーク音声システム
【図１】
2004297684.tif 000003
【図２】
2004297684.tif 000004
【図３】
2004297684.tif 000005
【図４】
2004297684.tif 000006